(57)【特許請求の範囲】
【請求項１】
衣類の洗濯および／または乾燥を行うドラム式洗濯乾燥機であって、
衣類を収容するドラムと、
前記ドラムを支持する筐体と、
閉止位置から全開位置までの所定の角度を開閉自在に軸支され、衣類を出し入れする投入口を開閉する、前記筐体に設けられた蓋体と、
前記蓋体を閉止位置でロックするとともに、前記ロックを解除して前記蓋体を開放可能とする蓋体係止手段と、を備え、
前記蓋体の前記閉止位置からの開放動作と連動して、前記蓋体の開閉方向と直交する方向に、前記蓋体が閉止時に前記蓋体の外から内に移動して、前記蓋体と前記筐体との間に挿入され、前記蓋体の前記閉止位置への移動を阻害する、蓋体閉止阻害手段をさらに備えたことを特徴とするドラム式洗濯乾燥機。
【請求項２】
請求項１において、
前記蓋体閉止阻害手段の作用を解除して、前記蓋体の閉止位置への移動を可能とする阻害解除手段をさらに設けたことを特徴とするドラム式洗濯乾燥機。
【請求項３】
請求項１または請求項２において、
前記蓋体係止手段を前記ロック状態から前記解除状態に遷移して前記蓋体を閉止位置から開放するよう作用する開操作ハンドルをさらに備え、
前記蓋体の開放動作と連動して前記蓋体閉止阻害手段は蓋体と筐体との間に挿入され、前記蓋体の閉止位置への移動を阻害することを特徴とするドラム式洗濯乾燥機。
【請求項４】
請求項１から請求項３何れか一項において
前記筐体には前記蓋体係止手段と係合する係合手段を備え、蓋体閉止阻害手段は前記蓋体係止手段に作用して、前記蓋体係止手段と前記係合手段との係合を阻害することを特徴とするドラム式洗濯乾燥機。
【請求項５】
請求項１から請求項４何れか一項において、前記蓋体閉止阻害手段の作用を解除する電磁アクチュエータをさらに備えたことを特徴とするドラム式洗濯乾燥機。
【発明の詳細な説明】
【技術分野】
【０００１】
本発明は、衣類の洗濯および／または乾燥を行うドラム式洗濯乾燥機に係る。
【背景技術】
【０００２】
ドラム式洗濯乾燥機は、水平、あるいは略水平に傾斜して配置された水槽内にドラムを回転自在に配置して、回転軸のまわりにドラムを回転駆動して衣類を洗濯、すすぎ、脱水、乾燥まで行うものである。ドラム式洗濯機は衣類の洗濯、すすぎ、脱水までを行う。
【０００３】
回転式のドラムの前面側には開閉式の蓋体を設け、洗濯前、ないし洗濯、ないし乾燥までが完了したのち衣類を出し入れする際にはこの蓋体を開いて衣類を出し入れする。そのために洗濯または乾燥などの運転中に蓋体をロックする蓋ロック手段と、その蓋ロック手段を開放して蓋を開放するために蓋開放操作レバーなどを備えた蓋開放手段が設けられている。
【０００４】
特許文献１に記載された洗濯機は、
「洗濯物を出し入れする開口部に連通し洗浄水の保持又は排出が自在に構成される外槽と、前記外槽の内部において軸回転する洗濯槽と、前記開口部を開閉する蓋体を備えた洗濯機であって、前記開口部と前記蓋体の縁部が接触した状態で前記蓋体を保持するロック手段と、前記開口部と前記蓋体の縁部の対向面の一部に設けられ、洗濯機の不使用時に隆起させる閉止抑制部を有する（請求項１）」よう構成されている。
【先行技術文献】
【特許文献】
【０００５】
【特許文献１】特許５６４５４６４号公報
【発明の概要】
【発明が解決しようとする課題】
【０００６】
特許文献１に開示された構成では、閉止抑制部を隆起させることで蓋体の閉止を阻害できるものの、洗濯機の不使用時に常に蓋体が閉止しないようにするには、洗濯の終了後に毎回閉止抑制部を隆起させる必要があり、閉止抑制部を隆起させることを忘れた場合には蓋体を閉止可能である。
【０００７】
本発明では、洗濯機の蓋体を開いて衣類の取り出しを完了した後は、その都度操作をしなくても自動的に蓋体の閉鎖を阻害するよう構成したため、一旦蓋体を開いた後は蓋体を閉止できないので、蓋体を僅かな力で開閉することができ、換言すれば水槽の内側から小さい力で蓋体を開放することができる、信頼性の高い洗濯乾燥機を提供することを目的とする。
【課題を解決するための手段】
【０００８】
上記目的を達成するために本発明は、衣類を収容するドラムと、前記ドラムを支持する筐体と、閉止位置から全開位置までの所定の角度を開閉自在に軸支され、衣類を出し入れする投入口を開閉する、前記筐体に設けられた蓋体と、前記蓋体を閉止位置でロックするとともに、前記ロックを解除して前記蓋体を開放可能とする蓋体係止手段と、を備え、前記蓋体の前記閉止位置からの開放動作と連動して、前記蓋体の開閉方向と直交する方向に、前記蓋体が閉止時に前記蓋体の外から内に移動して、前記蓋体と前記筐体との間に挿入され、前記蓋体の前記閉止位置への移動を阻害する、蓋体閉止阻害手段をさらに備えたことを特徴とする。
【発明の効果】
【０００９】
本発明によれば、洗濯機が運転中の洗濯工程や脱水工程中には蓋体が開くことのないよう閉止位置で確実に蓋体を閉止できるとともに、洗濯機の蓋体を開いて衣類の取り出しを完了した後は、蓋体が閉止位置まで閉じることを阻害するので、蓋体を僅かな力で開閉することができ、換言すれば水槽の内側から小さい力で蓋体を開放することができる、使いやすく信頼性の高いドラム式洗濯乾燥機を提供できる、という効果がある。
【図面の簡単な説明】
【００１０】
【図１】第一実施形態に係る洗濯乾燥機の斜視図であり、蓋体を閉じた状態を示す。
【図２】第一実施形態に係る洗濯乾燥機のＡ−Ａ断面図を示す。
【図３】第一実施形態に係る洗濯乾燥機の斜視図であり、蓋体を開いた状態を示す。
【図４】第一実施形態に係る洗濯乾燥機の部分斜視図であり、蓋体の回転支点の構成を示す分解斜視図である。
【図５】第一実施形態に係る洗濯乾燥機の蓋体係止手段の構成を示す、図１のＢ−Ｂ断面図である。
【図６】第一実施形態に係る洗濯乾燥機の蓋体係止手段の構成を示す、図１のＢ−Ｂ断面図であり、操作ハンドルを操作した状態を示す。
【図７】第一実施形態に係る洗濯乾燥機の蓋体係止手段の構成を示し、図４におけるＫ部の拡大部分斜視図である。
【図８】第一実施形態に係る洗濯乾燥機の蓋体係止手段の構成を示し、図４におけるＫ部の拡大部分斜視図であり、操作ハンドルを操作した状態を示す。
【図９】第一実施形態に係る洗濯乾燥機の蓋体係止手段の構成を示し、図１のＥ−Ｅ断面図であって、蓋体を閉じた状態を示す断面図である。
【図１０】第一実施形態に係る洗濯乾燥機の蓋体係止手段の構成を示し、図１のＥ−Ｅ断面図であって、操作ハンドルを操作した状態を示す。
【図１１】第一実施形態に係る洗濯乾燥機の蓋体閉止阻害手段の構成を示し、（ａ）は正面図、（ｂ）は蓋体を閉止した状態、（ｃ）は蓋体の閉止を阻害した状態、を示す。
【図１２】第二実施形態に係る洗濯乾燥機の蓋体閉止阻害手段の構成を示し、（ａ）は正面図、（ｂ）は蓋体を閉止した状態、（ｃ）は蓋体の閉止を阻害した状態、を示す。
【図１３】第三実施形態に係る洗濯乾燥機の蓋体閉止阻害手段の構成を示し、（ａ）は正面図、（ｂ）は蓋体を閉止した状態、（ｃ）は蓋体の閉止を阻害した状態、を示す。
【図１４】第四実施形態に係る洗濯乾燥機の蓋体閉止阻害手段の構成を示し、（ａ）は正面図、（ｂ）は蓋体を閉止した状態、（ｃ）は蓋体の閉止を阻害した状態、を示す。
【図１５】第五実施形態に係る洗濯乾燥機の蓋体閉止阻害手段の構成を示し、（ａ）は正面図、（ｂ）は蓋体を閉止した状態、（ｃ）は蓋体の閉止を阻害した状態、を示す。
【図１６】第六実施形態に係る洗濯乾燥機の蓋体閉止阻害手段の構成を示し、（ａ）は蓋体の閉止を阻害した状態、（ｂ）は蓋体を閉止した状態を示す。
【図１７】第七実施形態に係る洗濯乾燥機の蓋体閉止阻害手段の構成を示し、（ａ）は正面図、（ｂ）は蓋体を閉止した状態、（ｃ）は蓋体の閉止を阻害した状態、を示す。
【発明を実施するための形態】
【００１１】
以下、本発明の実施形態を図面により説明する。
【実施例１】
【００１２】
図１から図４は、本発明の第一実施形態に係るもので、図１、図３、図４は洗濯乾燥機の斜視図、図２は図１におけるＡ−Ａ断面図を示し、説明のために水受け槽である円筒状の水槽３と回転ドラム１１の一部を仮想的に破断して図示している。
【００１３】
また、以下の説明において、上下左右前後の方向は図１中に示す上下左右前後の方向を基準とする。
【００１４】
図１は蓋体７を閉じた状態であり、図３と図４は蓋体７を開いて投入口８から衣類６を出し入れする際の状態である。本実施形態において蓋体７は正面からみて円形である。
【００１５】
＜本体側概略構成＞
ベース１には、ばねと減衰とを備えた支持手段２を介して水槽３が弾性支持されている。ベース１の上部には鋼板と樹脂成形品で組合わされて構成された外枠４（筐体）が載せられて洗濯乾燥機本体５となしている。外枠４の正面には衣類６を出し入れするドアである蓋体７と前面カバー９及び背面には背面カバー１０が設けられている。
【００１６】
＜水槽＞
水槽３の内部には衣類６を入れて洗濯、脱水を行なう円筒状の回転する回転ドラム１１が設けられ、回転ドラム１１の前端側には内部に同心に設けた複数の層に流体を閉じ込めた流体バランサ１２が設けられて、回転ドラム１１と一体に回転することで衣類６のアンバランスによる回転ドラム１１の振動を低減する構成である。回転ドラム１１は、側壁に遠心脱水用の多数の小孔（図示せず）を有し、ドラムモータ１３によって回転する。
【００１７】
＜排水弁＞
水槽３の底面には排水弁１４を介して排水管１５が接続されており、水槽３内の洗濯水を排水できる。水槽３には乾燥風路１６が接続されており、水槽３内の湿り空気を排出して、図示しない例えばヒータや送風手段を備えた乾燥手段によって乾燥させる。
【００１８】
＜給水電磁弁＞
洗濯乾燥機本体５の背面近傍の上面には、給水栓１７が設けられており、水道管を接続して洗濯乾燥機本体５に対して給水を行う。
【００１９】
＜操作パネル＞
外枠４の上面の前面側の一部は例えば電源のオンオフや洗濯、乾燥などの運転コースを選択するスイッチや表示類が設けられた操作パネル２２であり、他の一部は開閉可能に設けられた洗剤投入口１９である。
【００２０】
その構成は従来からある洗濯機ないし洗濯乾燥機と同様なので、詳細な説明は省略する。
【００２１】
＜蓋ヒンジ＞
蓋体７は蓋周囲分割面２３の一部を分割して設けられた所謂ヒンジである蓋支点手段２４のまわりに回転自在に軸支されており、例えば９０°程度開放できる構成である。
【００２２】
蓋支点手段２４は洗濯乾燥機本体５に設けられたヒンジブラケット２５の円筒状をなしたヒンジピン２６と、蓋体７に設けたピン受け穴２７と嵌合するよう組み付けることで、蓋体７は回転自在に軸支される。
【００２３】
＜蓋体構成＞
蓋体７の蓋支点手段２４の対面側には、蓋体係止手段２８が設けられており、蓋体７を閉じ位置でロックおよびロック解除する係止フック２９と、さらに、係止フック２９のロックを外すよう作用する操作ハンドル３０が設けられている。蓋体７の裏面側は、蓋体７を閉じた際に、投入口８の内周に沿って設けられたゴム製のシールパッキンであるベローズ３１と全周にわたって接触して水封しつつ閉止する、内側に凸したドアガラス３２が設けられている。さらに蓋周囲分割面２３の一部であって操作ハンドル３０の近傍は操作凹部３３として手指を挿入しやすく、操作ハンドル３０が操作しやすい構成としており、その詳細については後述する。
【００２４】
図４は、蓋体７を外枠４から取り外して示した分解斜視図である。図４（Ａ）は蓋体７、図４（Ｂ）は洗濯乾燥機本体５の投入口８近傍のみを示す部分斜視図である。
【００２５】
蓋体７は前面を構成する円形のドアカバー３６と、外周を前記ドアカバー３６と略同一径とし蓋体７の背面をなすリング状の第一のフタフレーム３５と、第一のフタフレーム３５の内周部から背面に向けて突出したドアガラス３２と、蓋体７の開き動作の際に操作する操作ハンドル３０と、蓋体７を閉止した際にはロックされ、操作ハンドル３０の操作と連動してロック解除される係止フック２９を備えた蓋体係止手段２８が設けられる。
【００２６】
＜ベローズ＞
水槽３のドアガラス３２と近接した側には柔軟なゴムなどで作られたリング状のベローズ３１が設けられ、ベローズ３１の内周はドアガラス３２と接するよう構成することで水封を保って密閉する。
【００２７】
＜係止フック＞
先に説明したように、蓋体７には先端を鉤ツメ形状とした係止フック２９と操作ハンドル３０が設けられている。洗濯乾燥機本体５には、蓋体７を閉止した際に第一のフタフレーム３５に対して間隙をもって対向するフタ受け面１８が設けられる。フタ受け面１８にはさらに、前記係止フック２９と噛み合って蓋体７をロックするロック受け手段３７が設けられて蓋体係止手段２８をなし、蓋体７をロックすることによってドアガラス３２とベローズ３１とを確実に密着させて水漏れの発生を防止するとともに、洗濯工程、あるいは乾燥工程中で回転ドラム１１が回転中に蓋体７が開かないように確実に保持している。またさらに、洗濯工程や脱水工程などの運転中に係止フック２９が開かないようロックするロック機能を少なくとも備えた係止フック制御手段３８を備えている。
【００２８】
＜係止フック状態の定義＞
本実施形態における係止フック２９の状態ないし動作は、係止フック２９がロック受け手段３７と噛み合って、蓋体７を閉止した「係止状態」と、係止フック２９を係止位置から解除位置に移動して、蓋体７を開放可能な状態に遷移する「解除動作」とを有する。
【００２９】
＜操作ハンドル＞
次に、蓋体７の開き動作の際に操作する操作ハンドル３０と、操作ハンドル３０の操作と連動して「解除動作」を行う係止フック２９と、蓋体７が閉止位置まで閉じることを阻害する蓋体閉止阻害手段３４の構成について、図１から図１１を用いて説明する。
【００３０】
<操作ハンドル凹部形状>
図１および図３、図４において、蓋周囲分割面２３の操作ハンドル３０と隣接した部分は奥側に向けて凹んだ操作凹部３３となっており、その操作凹部３３は投入口８の近傍まで延伸されている。
【００３１】
図５と図６により操作ハンドル３０と操作凹部３３の構成の詳細について説明する。図５と図６とは、図１におけるＢ−Ｂ断面図であり、蓋体７を閉じた際の操作ハンドル３０部分の断面構成を図示している。
【００３２】
図５は操作ハンドル３０を操作して蓋体７を開放しようとして、操作ハンドル３０の奥面側すなわち図示下方にまで操作凹部３３に手指を挿入した状態を示す。
【００３３】
<フタ操作ハンドル>
次に、図６に示すように操作ハンドル３０を前方に引くことにより、操作ハンドル３０は前方に移動して、操作ハンドル３０と連動して後述するように係止フック２９は「解除動作」を行い、ロックを解除して蓋体７を開放できる。
【００３４】
次に、図７から図１０を用いて、図５と図６で説明した操作ハンドル３０の動作と連動した係止フック２９の構成と動作について説明する。図７と図８は蓋体７の構成の一部を示す部分斜視図で図４（Ａ）におけるＫ部の拡大図であって、第一のフタフレーム３５を取り外した状態で操作ハンドル３０と係止フック２９と係止阻害手段３４の構成の詳細を示す。
【００３５】
図９と図１０は図１のＥ−Ｅ方向の断面図である。
【００３６】
図１１は蓋体閉止阻害手段３４の構成の第一実施形態を示しており、（ａ）は正面図、（ｂ）は蓋体を閉止した状態、（ｃ）は蓋体の閉止を阻害した状態、を示す。
【００３７】
操作ハンドル３０は図４（Ａ）にも示すように、概ね蓋体７の外周と同心のリング形状の一部分をなし、蓋体７の裏面側および円筒形状の側面外周に沿って設けられ、その半径方向の断面形状は図５ないし図６に示される。係止フック２９は蓋支点手段２４に対して蓋体７の対面側にあり、蓋支点手段２４の回動軸であるヒンジピン２６ないしピン受け穴２７で構成される回転軸に直交した蓋体７の最大直径部を含んだ面内に設けられる。
【００３８】
操作ハンドル３０はドアカバー３６の外周に沿って係止フック２９に近接する方向に延長され、その延長部分には操作ハンドル３０を揺動自在に軸支する第一の支軸３９が設けられる。操作ハンドル３０は第一の支軸３９よりもさらに操作ハンドル３０の反対側にまで延長され、係止フック操作部４０をなす。
【００３９】
係止フック２９は第一のフタフレーム３５に対して係止フック２９をロック時である「係止状態」とロック解除時である「解除状態」との間で揺動自在に軸支する第二の支軸４１が設けられる。第二の支軸４１にはネジリバネ４２が同軸に設けられており、係止フック２９と洗濯乾燥機本体５に設けられたロック受け手段３７とを噛み合わせて蓋体７を閉止位置でロックする方向に付勢している。係止フック操作部４０が係止フック２９の一部を延伸した受け部４３に作用することで、操作ハンドル３０を操作すると係止フック２９が開いて「解除動作」を行うことができる。
【００４０】
図７と図９は図５と同様に係止フック２９がロック受け手段３７と嵌合して蓋体７が閉止した「係止状態」を示す。
【００４１】
係止フック２９は、先端の鉤ツメ形状の方向に移動しており、蓋体７を閉じればロック受け手段３７と噛合って「係止状態」となる。
【００４２】
＜フタ開・解除動作＞
衣類６の出し入れの際に蓋体７を閉止状態から開く際には、図５から図６に示すように操作ハンドル３０を操作する。
【００４３】
図８と図１０は図６と同様に操作ハンドル３０が操作されて、操作ハンドル３０の第一の支軸３９の反対側に延長された係止フック操作部４０が係止フック２９側に近接するように動作する。図１０に示すように係止フック操作部４０は係止フック２９の一端である受け部４３を押して係止フック２９を矢印方向、すなわち開く方向に回動して、ロック解除する「解除動作」を行う。さらに操作ハンドル３０部を手前側に引けば、係止フック２９とロック受け手段３７との係合は解除されたままなので、図３に示すように蓋体７を手前に開くことができる。
【００４４】
＜蓋体閉止阻害手段＞
図１１において、蓋体７とフタ受け面１８との間に突出した第一の位置と、蓋体７とフタ受け面１８との間から抜去した第二の位置とを移動自在に支持された閉止阻害部材４４を設け、さらに閉止阻害部材４４を第一の位置に向けて付勢する押しバネ４６を設けて蓋体閉止阻害手段３４としている。閉止阻害部材４４の一端は前面カバー９の洗濯乾燥機本体５のフタ受け面１８よりも外周側に設けたスリット状の操作穴４７から凸した操作突起４８とし、操作突起４８を操作することで閉止阻害部材４４を第一の位置から第二の位置に移動可能な構成である。
【００４５】
図１１（ｂ）に示すように、蓋体が閉止された「係止状態」にある際は、閉止阻害部材４４は第二の位置にあり、この状態から操作ハンドル３０を手前に引いて係止フック２９を解除する「解除動作」を行うと、図１１（ｃ）に示すように蓋体７は開き、閉止阻害部材４４は押しバネ４６の付勢力によって、フタ受け面１８に沿って突出した第一の位置に移動する。
【００４６】
一旦、蓋体７を開放した後に再度閉止しようとした際には、蓋体７は閉止阻害部材４４に当接して閉止できないので、係止フック２９はロック受け手段３７とは係合せず、蓋体７が閉止されることがない。したがって、蓋体７は僅かな力で開閉することができ、換言すれば回転ドラム１１の内側からであっても軽微な力で容易に開放することができ、使いやすく信頼性の高いドラム式洗濯乾燥機を提供できる。さらに、子供等が誤使用してドラム内に入った状態で閉じ込められる危険性が低減できる。
【００４７】
一方、洗濯を行う際には、衣類６を投入口８から回転ドラム１１内に投入した後、閉止阻害部材４４を押しバネ４６の付勢力に抗って操作して図１１（ｂ）に示すように第二の位置を維持したまま蓋体７を閉止すれば、係止フック２９がロック受け手段３７と係合して蓋体７は「閉止状態」となる。
【００４８】
閉止阻害部材４４の寸法に応じて図１１（ｃ）に示した蓋体７の閉止を阻害した状態での蓋体７の開き量を所定の開き量より大として、ドアガラス３２とベローズ３１との間に隙間が生じるよう配置すれば、水槽３内部と外気との換気が行われるので、衣類６から生じる臭いが内部に籠ることがないので好適である。
【実施例２】
【００４９】
第二実施形態について図１２を用いて説明する。
【００５０】
図１２は蓋体閉止阻害手段３４の構成の第二実施形態を示しており、（ａ）は正面図、（ｂ）は蓋体を閉止した状態、（ｃ）は蓋体の閉止を阻害した状態、を示す。
【００５１】
第二実施形態が第一実施形態と異なるところは、閉止阻害部材４４は支点４５のまわりに回動自在に軸支されており、閉止阻害部材４４は蓋体７とフタ受け面１８との間に突出した第一の位置と、蓋体７とフタ受け面１８との間から退避した第二の位置との間を回動自在であり、さらに閉止阻害部材４４を第一の位置に向けて付勢する引っ張りバネ４９を設け、閉止阻害部材４４の一端は前面カバー９の洗濯乾燥機本体５のフタ受け面１８よりも外周側に設けたスリット状の操作穴４７から凸した操作突起４８とし、操作突起４８を操作することで閉止阻害部材４４を第一の位置から第二の位置に移動可能な構成である。
【００５２】
図１２（ｂ）に示すように、蓋体が閉止された「係止状態」にある際は、閉止阻害部材４４は第二の位置にあり、この状態から操作ハンドル３０を手前に引いて係止フック２９を解除する「解除動作」を行うと、図１２（ｃ）に示すように蓋体７は開き、閉止阻害部材４４は引っ張りバネ４９の付勢力によってフタ受け面１８に沿って突出した第一の位置に移動する。
【００５３】
一旦、蓋体７を開放した後に再度閉止しようとした際には、蓋体７は閉止阻害部材４４に当接して閉止できないので、係止フック２９はロック受け手段３７とは係合せず、蓋体７が閉止されることがない。したがって、蓋体７は僅かな力で開閉することができ、換言すれば回転ドラム１１の内側からであっても軽微な力で容易に開放することができ、使いやすく信頼性の高いドラム式洗濯乾燥機を提供できる。さらに、子供等が誤使用してドラム内に入った状態で閉じ込められる危険性が低減できる。
【００５４】
一方、洗濯を行う際には、衣類６を投入口８から回転ドラム１１内に投入した後、操作突起４８を操作して閉止阻害部材４４を図１２（ｂ）に示すように第二の位置を維持したまま蓋体７を閉止すれば、係止フック２９がロック受け手段３７と係合して蓋体７は「閉止状態」となる。
【００５５】
閉止阻害部材４４の寸法に応じて図１２（ｃ）に示した蓋体７の閉止を阻害した状態での蓋体７の開き量を所定の開き量より大として、ドアガラス３２とベローズ３１との間に隙間が生じるよう配置すれば、水槽３内部と外気との換気が行われるので、衣類６から生じる臭いが内部に籠ることがないので好適である。
【実施例３】
【００５６】
第三実施形態について図１３を用いて説明する。
【００５７】
図１３は蓋体閉止阻害手段３４の構成の第三実施形態を示しており、（ａ）は正面図、（ｂ）は蓋体を閉止した状態、（ｃ）は蓋体の閉止を阻害した状態、を示す。
【００５８】
図１３において、フタ受け面１８には支点４５のまわりに回動可能に軸支された略Ｌ字形をした閉止阻害部材４４が設けられている。
【００５９】
閉止阻害部材４４は閉止阻害部材４４の一端である阻害部５０がフタ受け面１８から蓋体７に向けて突出した第一の位置と、蓋体７とフタ受け面１８との間から退避した第二の位置との間を回動自在であり、さらに閉止阻害部材４４を第一の位置に向けて付勢する引っ張りバネ４９を設けた構成である。
【００６０】
図１３（ｂ）に示すように蓋体７が閉止された「係止状態」にある際は、閉止阻害部材４４の一端である阻害部５０はフタ受け面１８よりも奥側に引き込んだ第二の位置にあり、係止フック２９はロック受け手段３７と嵌合している。閉止阻害部材４４の他端５１は引っ張りバネ４９によって上方に付勢されており、支点４５のまわりに図示反時計方向への回転トルクを閉止阻害部材４４に付与している。
【００６１】
操作ハンドル３０を手前に引いて係止フック２９を解除する「解除動作」を行うと、図１３（ｃ）に示すように蓋体７は開き、フタ受け面１８と蓋体７との間に隙間が生じると、閉止阻害部材４４は支点４５のまわりに引っ張りバネ４９の付勢力によって回動し、阻害部５０が蓋体７に向けて突き出した第一の位置となる。一旦、蓋体７を開放した後に再度閉止しようとした際には、蓋体７は阻害部５０に当接して係止フック２９はロック受け手段３７とは係合せず、蓋体７が閉止されることがない。したがって、蓋体７は僅かな力で開閉することができ、換言すれば回転ドラム１１の内側からであっても軽微な力で容易に開放することができ、使いやすく信頼性の高いドラム式洗濯乾燥機を提供できる。さらに、子供等が誤使用してドラム内に入った状態で閉じ込められる危険性が低減できる。
【００６２】
阻害部５０の寸法に応じて図１３（ｃ）に示した蓋体７の閉止を阻害した状態での蓋体７の開き量を所定の開き量より大として、ドアガラス３２とベローズ３１との間に隙間が生じるよう配置すれば、水槽３内部と外気との換気が行われるので、衣類６から生じる臭いが内部に籠ることがないので好適である。
【００６３】
一方、洗濯を行う際には、衣類６を投入口８から回転ドラム１１内に投入した後、引っ張りバネ４９による付勢力に抗って阻害部５０を操作して図１３（ｂ）に示すようにフタ受け面１８から引き込んだ状態を維持したまま蓋体７を閉止すれば、係止フック２９がロック受け手段３７と係合して蓋体７は「閉止状態」となる。
【００６４】
阻害部５０を操作するには、阻害部５０を直接操作してもよいし、閉止阻害部材４４と連結された図示しない操作部材を介して阻害部５０を操作する構成であってもよい。
【実施例４】
【００６５】
第四実施形態について図１４を用いて説明する。
【００６６】
図１４は蓋体閉止阻害手段３４の構成の第四実施形態を示しており、（ａ）は正面図、（ｂ）は蓋体を閉止した状態、（ｃ）は蓋体の閉止を阻害した状態、を示す。
【００６７】
第四実施形態においては、蓋体７の洗濯乾燥機本体５側に突起部５２を設け、フタ受け面１８の突起部５２と相対した箇所には突起部５２が進入退出自在な受け穴５３が設けられている。フタ受け面１８の蓋体７とは反対側すなわち洗濯乾燥機本体５の内側には、フタ受け面１８に沿って突起部５２の延伸方向とは直交する方向に摺動自在に支持された閉止阻害部材４４が設けられ、閉止阻害部材４４の一端が受け穴５３を塞ぐように突出した第一の位置と、受け穴５３から退避した第二の位置との間を移動自在に支持されており、さらに閉止阻害部材４４を第一の位置に向けて付勢する押しバネ４６を設けた構成である。
【００６８】
図１４（ｂ）に示すように、蓋体が閉止された「係止状態」にある際は、閉止阻害部材４４は第二の位置にあり、この状態から操作ハンドル３０を手前に引いて係止フック２９を解除する「解除動作」を行うと、図１４（ｃ）に示すように蓋体７は開き、突起部５２が受け穴５３から退出すると、押しバネ４６の付勢力によって閉止阻害部材４４は受け穴５３を塞ぐように移動して第一の位置となる。
【００６９】
一旦、蓋体７を開放した後に再度閉止しようとした際には、突起部５２の先端が閉止阻害部材４４に当接して係止フック２９はロック受け手段３７とは係合せず、蓋体７が閉止されることがない。したがって、蓋体７は僅かな力で開閉することができ、換言すれば回転ドラム１１の内側からであっても軽微な力で容易に開放することができ、使いやすく信頼性の高いドラム式洗濯乾燥機を提供できる。さらに、子供等が誤使用してドラム内に入った状態で閉じ込められる危険性が低減できる。
【００７０】
突起部５２の寸法に応じて図１４（ｃ）に示した蓋体７の閉止を阻害した状態での蓋体７の開き量を所定の開き量より大として、ドアガラス３２とベローズ３１との間に隙間が生じるよう配置すれば、水槽３内部と外気との換気が行われるので、衣類６から生じる臭いが内部に籠ることがないので好適である。
【００７１】
一方、洗濯を行う際には、衣類６を投入口８から回転ドラム１１内に投入した後、閉止阻害部材４４を押しバネ４６の付勢力に抗って操作して、図１４（ｂ）に示すように引き込んだ第二の位置を維持したまま蓋体７を閉止すれば、係止フック２９がロック受け手段３７と係合して蓋体７は「閉止状態」となる。閉止阻害部材４４を操作するには、例えば閉止阻害部材４４の一部をドアカバー３６の外周よりも外側まで延伸し、前面カバー９に設けたスリット状の操作穴４７を通して前方に凸した形状の操作突起４８として閉止阻害部材４４を直接操作してもよいし、閉止阻害部材４４と連結された図示しない操作部材を介して閉止阻害部材４４を操作する構成であってもよい。
【実施例５】
【００７２】
第五実施形態について図１５を用いて説明する。
【００７３】
図１５は蓋体閉止阻害手段３４の構成の第五実施形態を示しており、（ａ）は正面図、（ｂ）は蓋体を閉止した状態、（ｃ）は蓋体の閉止を阻害した状態、を示す。
【００７４】
第五実施形態においては、蓋体７に設けられた係止フック２９が勘合するロック受け手段３７とフタ受け面１８との間に進入退出自在な蓋体閉止阻害手段３４が設けられている。閉止阻害部材４４はロック受け手段３７とフタ受け面１８との間に突出した第一の位置とロック受け手段３７とフタ受け面１８との間から退避した第二の位置との間を移動自在であり、さらに閉止阻害部材４４を第一の位置に向けて付勢する引っ張りバネ４９を設け、閉止阻害部材４４の一端は前面カバー９に設けたスリット状の操作穴４７から凸した操作突起４８とし、操作突起４８を操作することで閉止阻害部材４４を第一の位置から第二の位置に移動可能な構成である。
【００７５】
図１５（ｂ）に示すように、蓋体が閉止された「係止状態」にある際は、閉止阻害部材４４は第二の位置にあり、この状態から操作ハンドル３０を手前に引いて係止フック２９を解除する「解除動作」を行うと、図１５（ｃ）に示すように蓋体７は開き、閉止阻害部材４４は引っ張りバネ４９の付勢力によってロック受け手段３７とフタ受け面１８との間に突出した第一の位置に移動する。
【００７６】
一旦、蓋体７を開放した後に再度閉止しようとした際には、係止フック２９は閉止阻害部材４４に当接して閉止できないので、係止フック２９はロック受け手段３７とは係合せず、蓋体７が閉止されることがない。したがって、蓋体７は僅かな力で開閉することができ、換言すれば回転ドラム１１の内側からであっても軽微な力で容易に開放することができ、使いやすく信頼性の高いドラム式洗濯乾燥機を提供できる。さらに、子供等が誤使用してドラム内に入った状態で閉じ込められる危険性が低減できる。
【００７７】
係止フック２９の寸法に応じて図１５（ｃ）に示した蓋体７の閉止を阻害した状態での蓋体７の開き量を所定の開き量より大として、ドアガラス３２とベローズ３１との間に隙間が生じるよう配置すれば、水槽３内部と外気との換気が行われるので、衣類６から生じる臭いが内部に籠ることがないので好適である。
【００７８】
一方、洗濯を行う際には、衣類６を投入口８から回転ドラム１１内に投入した後、操作突起４８を操作して閉止阻害部材４４を図１５（ｂ）に示すように引き込んだ状態を維持したまま蓋体７を閉止すれば、係止フック２９がロック受け手段３７と係合して蓋体７は「閉止状態」となる。
【実施例６】
【００７９】
第六実施形態について図１６を用いて説明する。
【００８０】
図１６は蓋体閉止阻害手段３４の構成の第六実施形態を示しており、（ａ）は蓋体の閉止を阻害した状態、（ｂ）は蓋体を閉止した状態、を示す。
【００８１】
第六実施形態が第一実施形態と異なるところは、閉止阻害部材４４を操作する電磁アクチュエータであるソレノイド５４を設け、さらにプランジャ５５と閉止阻害部材４４とを接続する連結部材５６を設けたことである。図１６（ａ）に示すように、ソレノイド５４に通電されないまま蓋体７を開いた際には、押しバネ４６の付勢力によってプランジャ５５は閉止阻害部材４４とともにドアガラス３２に近接する方向に移動し、閉止阻害部材４４はフタ受け面１８に沿って突き出した第一の位置となって蓋体７の閉止を妨げる。
【００８２】
ここで一例として、洗濯乾燥機本体５の主電源ＯＮと連動してソレノイド５４に通電して、プランジャ５５の吸引力が押しバネ４６の付勢力より大なるよう構成すれば、主電源ＯＮとともに閉止阻害部材４４はソレノイド５４の作用によって図１６（ｂ）に示すように第二の位置に移動して、蓋体７の裏面から引き込んだ状態となるので、蓋体７を閉止することができる。したがって、洗濯を行う際には、衣類６を投入口８から回転ドラム１１内に投入した後に主電源をＯＮすれば、蓋体７を閉止して係止フック２９をロック受け手段３７にロックして洗濯工程を開始することができるので、使用者が閉止阻害部材４４を退避する操作を行う必要がなく取扱いが簡便であり、使いやすい洗濯機を提供できる。
【００８３】
あるいはまた、別途例えば「閉止ロックスイッチ」を備え、「閉止ロックスイッチ」を押下することによってソレノイドに通電し、閉止阻害部材４４を第二の位置に移動してから蓋体７を閉止する構成であってもよい。
【実施例７】
【００８４】
第七実施形態について図１７を用いて説明する。
【００８５】
図１７は蓋体閉止阻害手段３４の構成の第七実施形態を示しており、（ａ）は正面図、（ｂ）は蓋体を閉止した状態、（ｃ）は蓋体の閉止を阻害した状態、を示す。
【００８６】
第七実施形態が第三実施形態と異なるところは、支点４５のまわりに回動可能に軸支された略Ｌ字形をした閉止阻害部材４４が蓋体７の内部に設けられていることである。
【００８７】
図１７（ｂ）に示すように蓋体７が閉止された「係止状態」にある際は、閉止阻害部材４４の一端である阻害部５０は蓋体７の内部に引き込んだ第二の位置にあり、係止フック２９はロック受け手段３７と嵌合している。閉止阻害部材４４の他端には引っ張りバネ４９によって上方に付勢されており、閉止阻害部材４４を支点４５のまわりに図示時計方向への回転トルクを生じている。
【００８８】
操作ハンドル３０を手前に引いて係止フック２９を解除する「解除動作」を行うと、図１７（ｃ）に示すように蓋体７は開き、フタ受け面１８と蓋体７との間に隙間が生じると、閉止阻害部材４４は支点４５のまわりに引っ張りバネ４９の付勢力によって回動し、阻害部５０がフタ受け面１８に向けて突き出して第一の位置となる。一旦、蓋体７を開放した後に再度閉止しようとした際には阻害部５０はフタ受け面１８に当接して係止フック２９はロック受け手段３７とは係合せず、蓋体７が閉止されることがない。したがって、蓋体７は僅かな力で開閉することができ、換言すれば回転ドラム１１の内側からであっても軽微な力で容易に開放することができ、使いやすく信頼性の高いドラム式洗濯乾燥機を提供できる。さらに、子供等が誤使用してドラム内に入った状態で閉じ込められる危険性が低減できる。
【００８９】
阻害部５０の寸法に応じて図１７（ｃ）に示した蓋体７の閉止を阻害した状態での蓋体７の開き量を所定の開き量より大として、ドアガラス３２とベローズ３１との間に隙間が生じるよう配置すれば、水槽３内部と外気との換気が行われるので、衣類６から生じる臭いが内部に籠ることがないので好適である。
【００９０】
一方、洗濯を行う際には、衣類６を投入口８から回転ドラム１１内に投入した後、閉止阻害部材４４の他端５１を操作して阻害部５０を引っ張りバネ４９による付勢力に抗って図１７（ｂ）に示すように蓋体７内部に引き込んだ状態を維持したまま蓋体７を閉止すれば、係止フック２９がロック受け手段３７と係合して蓋体７は「閉止状態」となる。
【００９１】
＜効果＞
洗濯機が運転中の洗濯工程や脱水工程中には蓋体が開くことのないよう閉止位置で確実に蓋体を閉止できるとともに、洗濯機の蓋体を開いて衣類の取り出しを完了した後は、蓋体が閉止位置まで閉じることを阻害するので、蓋体を僅かな力で開閉することができ、換言すれば水槽の内側から小さい力で蓋体を開放することができる、使いやすく信頼性の高いドラム式洗濯乾燥機を提供できる。
【００９２】
蓋体の閉止を阻害した状態での蓋体の開き量を所定の開き量より大として、ドアガラスとベローズとの間に隙間が生じるよう配置すれば、水槽の内部と外気との換気が行われるので、衣類から生じる臭いが内部に籠ることがない。
【００９３】
＜乾燥機＞
なお、第一から第七の実施形態として洗濯機および洗濯乾燥機により説明したが、洗濯機および洗濯乾燥機に限定されるものではなく、乾燥機能のみを備えた乾燥機であってもよく、同様な蓋体閉止阻害手段を備えた構成により、蓋体が閉止位置まで閉じることを阻害する効果がある。
【００９４】
また本実施形態においては蓋体は洗濯乾燥機本体の左側に開放する構成であるとしたが、右側に開放する左右対称の構成であってもよい。
【００９５】
なお、本発明は上記の実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００９６】
１  ベース  
２  支持手段  
３  水槽  
４  外枠
５  洗濯乾燥機本体
６  衣類
７  蓋体
８  投入口
９  前面カバー
１０  背面カバー
１１  回転ドラム
１２  流体バランサ
１３  ドラムモータ
１４  排水弁
１５  排水管
１６  乾燥風路
１７  給水栓
１８  フタ受け面
１９  洗剤投入口
２２  操作パネル  
２３  蓋周囲分割面  
２４  蓋支点手段
２５  ヒンジブラケット
２６  ヒンジピン
２７  ピン受け穴
２８  蓋体係止手段
２９  係止フック
３０  操作ハンドル
３１  ベローズ
３２  ドアガラス
３３  操作凹部
３４  蓋体閉止阻害手段
３５  第一のフタフレーム
３６  ドアカバー
３７  ロック受け手段
３８  係止フック制御手段
３９  第一の支軸
４０  係止フック操作部
４１  第二の支軸
４２  ネジリバネ
４３  受け部
４４  閉止阻害部材
４５  支点
４６  押しバネ
４７  操作穴
４８  操作突起
４９  引っ張りバネ
５０  阻害部
５１  他端
５２  突起部
５３  受け穴
５４  ソレノイド
５５  プランジャ
５６  連結部材
【図１】
0006553449.tif 000002
【図２】
0006553449.tif 000003
【図３】
0006553449.tif 000004
【図４】
0006553449.tif 000005
【図５】
0006553449.tif 000006
【図６】
0006553449.tif 000007
【図７】
0006553449.tif 000008
【図８】
0006553449.tif 000009
【図９】
0006553449.tif 000010
【図１０】
0006553449.tif 000011
【図１１】
0006553449.tif 000012
【図１２】
0006553449.tif 000013
【図１３】
0006553449.tif 000014
【図１４】
0006553449.tif 000015
【図１５】
0006553449.tif 000016
【図１６】
0006553449.tif 000017
【図１７】
0006553449.tif 000018